(57)【要約】      （修正有）【課題】衣類を吊り下げた状態のままで防虫剤等の交換を可能として使い勝手の向上を図る。【解決手段】支柱パイプ体４に対してブラケットホルダ体５を介して支架される吊り下げパイプ体６が、内孔１９に貫通する多数個の拡散小孔２０が形成され、ブラケットホルダ体５に対して内孔１９の端部をそれぞれ開口させた状態で組み付けられるとともに内孔１９を閉塞するキャップ体７を着脱自在に組み合わせ、衣類を吊り下げた状態でもキャップ体７を取り外して内孔１９中に機能性充填剤８の装填が行われるようにする。【選択図】図４
0003129883.tif 000002
【実用新案登録請求の範囲】
【請求項１】
所定の間隔を以って対向配置される少なくとも一対の支柱パイプ体と、これら支柱パイプ体にそれぞれ高さ位置を調整自在にして組み付けられるブラケットホルダ体と、相対する上記ブラケットホルダ体に端部を組み付けることにより上記支柱パイプ体間に支架される吊り下げパイプ体とから構成され、上記吊り下げパイプ体に多数枚の衣類を吊り下げて保持する衣類用パイプラック装置において、
内孔に貫通する多数個の拡散小孔が形成された上記吊り下げパイプ体が、上記各ブラケットホルダ体に対して上記内孔の端部をそれぞれ開口させた状態で組み付けられるとともに上記内孔を閉塞するキャップ体を着脱自在に組み合わせ、
上記キャップ体を取り外して上記内孔中に機能性充填剤が装填されることを特徴とする衣類用パイプラック装置。
【請求項２】
上記機能性充填剤が、上記吊り下げパイプ体の上記内孔の内径よりも小径でかつ多数個の小孔が形成された略筒状の収納容器に収納され、この収納容器を介して上記内孔に装填されることを特徴とする請求項１に記載の衣類用パイプラック装置。
【考案の詳細な説明】
【技術分野】
【０００１】
本考案は、複数本のパイプ体を組み合わせて洋服やコート等の衣類を吊り下げ保持する可搬型衣類用パイプラック装置に関し、特に衣類の防虫や脱臭等の機能を奏する衣類用パイプラック装置に関する。
【背景技術】
【０００２】
衣類用パイプラック装置は、複数本のスチールパイプやステンレスパイプ等の金属パイプを組み合わせて構成され、それぞれハンガに掛けた多数枚の洋服やコート等の衣類を吊り下げ保持する。衣類用パイプラック装置は、一般に所定の間隔を以って対向配置される少なくとも一対の支柱パイプ体と、これら支柱パイプ体にそれぞれ高さ位置を調整自在にして組み付けられるブラケットホルダ体と、相対するブラケットホルダ体に端部を組み付けることにより支柱パイプ体間に支架される吊り下げパイプ体とから構成される。衣類用パイプラック装置は、比較的軽量で簡易な構造であるとともに廉価であり、多数枚の衣類を限られたスペースに保管することが可能であるとともに保管状態が一目瞭然に識別可能である。かかる衣類用パイプラック装置は、一般家庭用とともに衣料品店舗等の業務用としても広く用いられている。
【０００３】
衣類用パイプラック装置は、例えば一般家庭で用いられる場合に、室内に設置して日頃着用する衣類を並べて吊り下げておくことにより衣類を手軽に選べるようにする。衣類用パイプラック装置は、ウォークインクローゼットの普及とともに、季節変わりになると適宜クリーニング等を行った多数枚の衣類を吊り下げた状態のままでウォークインクローゼット内に収納するといった使用形態で用いられることも多くなっている。衣類用パイプラック装置は、このような比較的長期間の保管或いは埃等が舞う店舗での使用に際して、防塵用のカバー等が掛けられる。
【０００４】
ところで、衣類は、防虫剤を設置して防虫対策を講じた状態で保管することが必要であり、またしばしば染み込んだたばこ臭や各種の臭いが他の衣類に移らないようにするためにこれらの臭いを芳香剤や脱臭剤を設置した雰囲気中で保管する。防虫剤や芳香剤或いは脱臭剤等の機能剤は、一般に詰め替え可能な容器に収納し、この容器を衣類とともに吊り下げて設置することにより防虫雰囲気等の機能雰囲気が保持されるように用いられる。
【０００５】
例えば特許文献１には、かかる詰め替え容器に代えて、衣類等を吊り下げる中棒の内部に防虫剤を収納した洋服ダンスが開示されている。この特許文献１の洋服ダンスにおいては、両端部を両側板の内面に相対して取り付けた保持金具に対して着脱自在に組み合わせた中棒に略全長に亘って多数の小孔を形成するとともに、これら小孔を介して中棒の内部に収納した防虫剤の成分が拡散されるように構成する。
【０００６】
【特許文献１】実開昭６３−２２１３４号公報
【考案の開示】
【考案が解決しようとする課題】
【０００７】
ところで、機能剤を詰め替え可能とする機能剤容器は、容器本体にフックが一体に形成され、このフックを介して中棒や吊り下げパイプに衣類とともに吊り下げて防虫等の機能雰囲気が手軽に構成されるようにする。機能剤容器は、容器本体がある程度の厚みを有することでスペースをとるとともに、放出される機能成分が隣り合って掛けられた衣類に遮られることで内部の全体に亘って充分に行き渡らず所定の機能が奏せられないといった問題がある。また、詰め替え容器型防虫剤は、当然、店頭に設置されて商品の衣類が展示される業務用の衣類用パイプラック装置には用いることができない。
【０００８】
一方、上述した特許文献１の洋服ダンスにおいては、中棒の内部に収納した防虫剤の防虫成分が略全長に亘って形成した多数の小孔から拡散されることで、内部空間を全体に亘り防虫雰囲気に保持しかついわゆるシャワー作用により効率的な防虫作用が奏されるようにする。かかる洋服ダンスにおいては、保持金具から中棒を取り外して防虫剤の交換を行うが、中棒に吊り下げた多数の衣類を全て取り外すとともに交換後には再び掛け直さなければならず、大きな手間と負担がかかるといった問題があり実用化には至っていない。
【０００９】
したがって、本考案は、洋服やコート等の衣類を吊り下げた状態のままで防虫剤等の交換を可能として使い勝手の向上を図る衣類用パイプラック装置を提供することを目的に提案されたものである。
【課題を解決するための手段】
【００１０】
上述した目的を達成する本考案にかかる衣類用パイプラック装置は、所定の間隔を以って対向配置される少なくとも一対の支柱パイプ体と、これら支柱パイプ体にそれぞれ高さ位置を調整自在にして組み付けられるブラケットホルダ体と、相対するブラケットホルダ体に端部を組み付けることにより支柱パイプ体間に支架される吊り下げパイプ体とから構成され、吊り下げパイプ体に多数枚の衣類を吊り下げて保持する。衣類用パイプラック装置は、内孔に貫通する多数個の拡散小孔が形成された吊り下げパイプ体が、各ブラケットホルダ体に対して内孔の端部をそれぞれ開口させた状態で組み付けられるとともに内孔を閉塞するキャップ体が着脱自在に組み合わされる。
【００１１】
衣類用パイプラック装置においては、吊り下げパイプ体から少なくとも一方のキャップ体が取り外されて一端を開口された吊り下げパイプ体の内孔中に防虫剤、芳香剤或いは脱臭剤等の機能性充填剤を押し込んで装填する。衣類用パイプラック装置においては、吊り下げパイプ体に対して取り外したキャップ体が再び内孔の開口部に装着される。衣類用パイプラック装置においては、吊り下げパイプ体の内孔に装填した機能性充填剤の機能成分が各拡散小孔を介して外部へと放散されて吊り下げられた衣類に降りかかるようにすることで、衣類に対する防虫等の機能が効率的に奏されるようになる。
【００１２】
また、衣類用パイプラック装置においては、所定期間を経過して機能性充填剤の交換が必要となった場合に、吊り下げパイプ体からキャップ体が取り外されて内孔中から機能性充填剤が取り出される。衣類用パイプラック装置においては、開口された内孔に棒等を差し込んで古くなった機能性充填剤を押し出した後に、新たな機能性充填剤が装填される。衣類用パイプラック装置においては、機能性充填剤の交換操作を、吊り下げパイプ体を支柱パイプ体からの取り外し操作を不要として手軽に行うことが可能である。
【００１３】
また、衣類用パイプラック装置は、機能性充填剤が、吊り下げパイプ体の内孔の内径よりも小径でかつ多数個の小孔が形成された略筒状の収納容器に収納され、この収納容器を介して内孔に装填される。衣類用パイプラック装置は、例えば粒体や粉体の機能性充填剤であっても収納容器に収納して吊り下げパイプ体の内孔中に装填することにより市販の適宜の機能性充填剤を用いることが可能である。衣類用パイプラック装置は、例えば合成樹脂や金属製の収納容器を用いることにより、この収納容器が吊り下げパイプ体の機械的剛性を向上させる。
【考案の効果】
【００１４】
本考案にかかる衣類用パイプラック装置によれば、吊り下げパイプ体の内孔に機能性充填剤を装填したことにより機能成分を全域に亘り行き渡せるようにするとともに、吊り下げパイプ体を支柱パイプ体から取り外すことなく機能性充填剤の交換操作を行うことが可能であることから吊り下げパイプ体に掛けた多くの衣類等を着脱する手間が不要となり使い勝手の向上が図られ、衣類に対する防虫等の機能が効率的に奏されるようになる。
【考案を実施するための最良の形態】
【００１５】
以下、本考案の実施の形態として図面に示した衣類用パイプラック装置（以下、単にパイプラックと称する。）１について詳細に説明する。パイプラック１は、基本的な構成を従来の一般的なパイプラックとほぼ同様として一般家庭用或いは業務用等に広く用いられて、図１に示すようにそれぞれハンガ３に掛けた多数枚の洋服やコート等の衣類４を吊り下げた状態で保持する。
【００１６】
パイプラック１は、所定の間隔を以って対向配置される少なくとも一対の支柱パイプ体４Ｌ、４Ｒ（以下、個別に説明する場合を除いて支柱パイプ体４と総称する。）と、これら支柱パイプ体４にそれぞれ高さ位置を調整自在にして組み付けられるブラケットホルダ体５Ｌ、５Ｒ（以下、個別に説明する場合を除いてブラケットホルダ体５と総称する。）と、相対するブラケットホルダ体５にそれぞれ端部を組み付けることにより支柱パイプ体４間に支架される吊り下げパイプ体６とから構成される。パイプラック１は、吊り下げパイプ体６に、内孔１９を閉塞するキャップ体７がその両端部に着脱自在に組み合わされるとともに、内孔１９中に機能性充填剤８、例えば防虫剤や芳香剤或いは脱臭剤が収納容器９に収納されて交換自在に装填される。
【００１７】
パイプラック１は、支柱パイプ体４や吊り下げパイプ体６として、機械的剛性が大きくかつ耐薬品性を有する金属パイプ、例えばメッキ処理を施したスチールパイプやステンレスパイプが用いられる。パイプラック１は、比較的少量の衣類等を吊り下げる小型で構成する場合に、支柱パイプ体４や吊り下げパイプ体６として例えばアルミパイプや合成樹脂パイプを用いるようにしてもよい。パイプラック１は、支柱パイプ体４と吊り下げパイプ体６を同一素材、外径のパイプ材により形成することにより材料費の低減が図られるようにするが、金属と合成樹脂のように異なる材質のパイプ材により形成してもよいことは勿論である。
【００１８】
パイプラック１は、支柱パイプ体４が、図１に示すように互いに略同長の吊り下げパイプ体６と保持パイプ体１０とにより対向間隔を保持される。パイプラック１は、各支柱パイプ体４の上方位置において吊り下げパイプ体６が上述したようにその両端をブラケットホルダ体５を介して組み付けられるとともに、各支柱パイプ体４の下方位置において保持パイプ体１０がその両端を固定されて全体枠体を構成する。
【００１９】
パイプラック１は、保持パイプ体１０の両端部にそれぞれ直交状態で設けられた保持筒体１１Ｌ、１１Ｒ（以下、個別に説明する場合を除いて保持筒体１１と総称する。）と、これら保持筒体１１をそれぞれ上面に立設した角棒状のスタンド部材１２Ｌ、１２Ｒ（以下、個別に説明する場合を除いてスタンド部材１２と総称する。）と、これらスタンド部材１２にそれぞれ組み付けられた前後一対のキャスタユニット１３Ｌ、１３Ｒ（以下、個別に説明する場合を除いてキャスタユニット１３と総称する。）とにより各支柱パイプ体４を立設状態で保持する保持部を構成する。
【００２０】
各保持筒体１１は、支柱パイプ体４の外径とほぼ等しい内径の内孔が形成され、それぞれの外周部に保持パイプ体１０の両端部を例えば溶接により一体化する。各保持筒体１１には、図２に示すように内孔中に支柱パイプ体４がそれぞれの下端部を嵌挿され、この状態で内孔に貫通して外周部に形成したネジ孔にツマミ付きの固定ネジ部材１１Ａをねじ込むことにより、支柱パイプ体４を立設した状態で固定する。
【００２１】
スタンド部材１２は、詳細を省略するが角パイプ材により形成され、上面の略中央部に位置して保持筒体１１を例えば溶接により一体化する。スタンド部材１２は、長さ方向の両端近傍に位置して底面側にキャスタユニット１３を組み付ける。キャスタユニット１３は、周知のように事務用器具等の底部に組み付けられて、軽微な力で任意の方向に移動自在とするとともにロック機構により移動位置において固定させる。
【００２２】
キャスタユニット１３は、図２に示すように、ベアリング継ぎ手１３Ａと、キャスタ１３Ｂと、ブラケット１３Ｃと、ブラケット１３Ｃに支架されてキャスタ１３Ｂを支持する支軸１３Ｄ及び図示しないロック機構等により構成される。キャスタユニット１３は、ベアリング継ぎ手１３Ａが、詳細を省略するがスタンド部材１２とブラケット１３Ｃにそれぞれ固定される一対のカップリングプレート間に多数個のベアリングを組み付けて構成され、スタンド部材１２に対して回動自在とすることにより各方向に移動自在とする。キャスタユニット１３は、ロック機構が、ブラケット１３Ｃに揺動自在に組み合わされた操作レバーとキャスタ１３Ｂを固定するロックレバーとを備え、キャスタ１３Ｂが任意の位置で固定されるようにする。なお、キャスタユニット１３については、かかる構成に限定されず、従来提供されている各種キャスタユニットを用いてもよいことは勿論である。
【００２３】
各支柱パイプ体４には、それぞれの上端部に上部キャップ体１４Ｌ、１４Ｒ（以下、個別に説明する場合を除いて上部キャップ体１４と総称する。）がはめ込まれて組み付けられることにより内孔１０Ａが閉塞される。各支柱パイプ体４には、外周部に長さ方向に所定の間隔を以って複数条の位置決め凹部４Ｂが形成され、後述するようにいずれか１つの位置決め凹部４Ｂを選択してブラケットホルダ体５がその高さ位置を規定されて組み付けられる。
【００２４】
上部キャップ体１４は、合成樹脂材により一体に形成され、図２及び図４に示すように支柱パイプ体４の外径とほぼ同径の円盤状本体部１４Ａと、この本体部１４Ａの一方側面に突設された複数個のロック片１４Ｂとからなる。上部キャップ体１４は、各ロック片１４Ｂが支柱パイプ体４の内孔４Ａとほぼ同径の円周上に並んで本体部１４Ａに突設されており、これらロック片１４Ｂをやや収斂させた状態にして内孔４Ａ中にはめ込む。上部キャップ体１４は、各ロック片１４Ｂの弾性力により支柱パイプ体４に組み付けられてその内孔４Ａの上端開口部を閉塞する。
【００２５】
上部キャップ体１４は、支柱パイプ体４からロック片１４Ｂを強く引き抜くことにより取り外しが可能である。なお、上部キャップ体１４は、上述した構造に限定されず、例えば支柱パイプ体４の外径とほぼ同径のフランジ部と、内孔４Ａとほぼ同径の円筒部と、この円筒部に形成した複数のすり割とから構成してもよい。また、上部キャップ体１４は、金属材で形成し、支柱パイプ体４に対して溶接等により一体化してもよい。
【００２６】
各支柱パイプ体４には、例えば上部キャップ体１４を組み付ける前にブラケットホルダ体５が上端部から組み付けられる。ブラケットホルダ体５は、例えばアルミダイキャスト等の金属ダイキャストや合成樹脂材により一体に形成され、支柱パイプ体４を組み合わせる支柱筒部１５と、吊り下げパイプ体６を組み合わせる吊り下げ筒部１６とから構成される。ブラケットホルダ体５は、図２乃至図４に示すように、支柱嵌挿孔１５Ａを有する高さ方向の支柱筒部１５と、その側面に直交状態で一体に形成され吊り下げ嵌挿孔１６Ａを有する水平方向の吊り下げ筒部１６とから構成される。
【００２７】
ブラケットホルダ体５は、支柱筒部１５の内部を貫通する支柱嵌挿孔１５Ａがその内径を支柱パイプ体４の外径とほぼ同径とされ、図４に示すようにこの支柱嵌挿孔１５Ａに貫通して吊り下げ筒部１６と対向する外周部に開口するねじ孔１５Ｂが形成される。ブラケットホルダ体５には、支柱嵌挿孔１５Ａに支柱パイプ体４を嵌挿させた状態でねじ孔１５Ｂに支柱パイプ体４を固定するための第１調整固定ネジ部材１７がねじ込まれる。第１調整固定ネジ部材１７は、図３及び図４に示すようにツマミ部１７Ａと、ねじ部１７Ｂとから構成され、ツマミ部１７Ａを回してねじ部１７Ｂをねじ孔１５Ｂにねじ込むことによりその先端が支柱嵌挿孔１５Ａ中に突出される。
【００２８】
ブラケットホルダ体５は、吊り下げ筒部１６の内部を貫通する吊り下げ嵌挿孔１６Ａがその内径を吊り下げパイプ体６の外径とほぼ同径とされ、図４に示すようにこの吊り下げ嵌挿孔１６Ａに貫通して支柱筒部１５と対向する外周部に開口するねじ孔１６Ｂが形成される。ブラケットホルダ体５には、吊り下げ嵌挿孔１６Ａを嵌挿させた状態でねじ孔１６Ｂに吊り下げパイプ体６を固定するための第２調整固定ネジ部材１８がねじ込まれる。第２調整固定ネジ部材１８も、図３及び図４に示すようにツマミ部１８Ａと、ねじ部１８Ｂとから構成され、ツマミ部１８Ａを回してねじ部１８Ｂをねじ孔１６Ｂにねじ込むことによりその先端が吊り下げ嵌挿孔１６Ａ中に突出される。
【００２９】
以上のように構成されたブラケットホルダ体５は、支柱パイプ体４に対して、支柱筒部１５の支柱嵌挿孔１５Ａ中にその先端から嵌挿させることにより組み合わされる。左右ブラケットホルダ体５Ｌ、５Ｒは、左右の支柱パイプ体４Ｌ、４Ｒに対してそれぞれの高さ位置を調整されて組み合わされた状態で、選択した所定の位置決め凹部４Ｂに対向させたねじ孔１５Ｂにそれぞれ第１調整固定ネジ部材１７がねじ込まれる。各ブラケットホルダ体５は、図３及び図４に示すように、第１調整固定ネジ部材１７のねじ部１７Ｂの先端が相対する位置決め凹部４Ｂに嵌合することにより、各支柱パイプ体４を支柱筒部１５に固定する。各ブラケットホルダ体５は、各支柱パイプ体４に対して互いに同一の高さ位置に組み合わされて固定される。
【００３０】
ブラケットホルダ体５には、吊り下げパイプ体６が、吊り下げ筒部１６の吊り下げ嵌挿孔１６Ａ中に図３に示すように先端部をやや突出させた状態で一端部を嵌挿して組み合わされる。ブラケットホルダ体５は、この状態でねじ孔１６Ｂから第２調整固定ネジ部材１８がねじ込まれることにより、ねじ部１８Ｂの先端で吊り下げパイプ体６の外周部を吊り下げ嵌挿孔１６Ａの内周壁に押し付けることにより吊り下げパイプ体６を吊り下げ筒部１６に固定する。
【００３１】
吊り下げパイプ体６は、上述したように支柱パイプ体４と同径のパイプ材が用いられ、保持パイプ体１０と略同長に形成される。吊り下げパイプ体６は、全長を貫通する内孔１９が上述したように機能性充填剤８の装填空間部として構成されるとともに、図４に示すように内孔１９に貫通する多数個の拡散小孔２０が外周部に開口して形成される。吊り下げパイプ体６は、各拡散小孔２０が、多数枚の衣類４を吊り下げた状態でもその機械的強度が充分に保持されることを条件にして長さ方向の全域に亘って適宜に配列した状態で形成される。
【００３２】
なお、吊り下げパイプ体６は、両端部の近傍に位置する外周部に、上述した支柱パイプ体４の外周部に形成した位置決め凹部４Ｂと同様の位置決め凹部を形成し、第２調整固定ネジ部材１８により位置決めされてブラケットホルダ体５の吊り下げ筒部１６に固定されるようにしてもよい。
【００３３】
吊り下げパイプ体６は、内孔１９の端部開口１９Ａがキャップ体７により閉塞される。キャップ体７は、上述した支柱パイプ体４の上端部を閉塞する上部キャップ体１４と同等の部材であり、図３及び図４に示すように合成樹脂材により一体に形成された吊り下げパイプ体６の外径とほぼ同径の円盤状本体部７Ａと、この本体部７Ａの一方側面に突設された複数個のロック片７Ｂとからなる。
【００３４】
キャップ体７は、各ロック片７Ｂが吊り下げパイプ体６の内孔１９とほぼ同径の円周上に並んで本体部７Ａに突設されており、これらロック片７Ｂをやや収斂させた状態にして内孔１９中にはめ込む。キャップ体７は、各ロック片７Ｂの弾性力により吊り下げパイプ体６の内孔１９の端部開口１９Ａを閉塞する。キャップ体７は、吊り下げパイプ体６からロック片７Ｂを強く引き抜くことにより取り外しが可能である。なお、キャップ体７も、上述した構造に限定されず、例えば吊り下げパイプ体６の外径とほぼ同径のフランジ部と、内孔１９とほぼ同径の円筒部と、この円筒部に形成した複数のすり割とから構成してもよい。
【００３５】
機能性充填剤８は、上述したように揮発特性を有する防虫剤や芳香剤或いは脱臭剤であり収納容器９内に収納され、この収納容器９を介して吊り下げパイプ体６の内孔１９内に装填される。機能性充填剤８は、例えば粒体や粉体であり吊り下げパイプ体６の内孔１９内に直接装填した場合に拡散小孔２０からこぼれ落ちてしまう場合に、収納容器９に収納して吊り下げパイプ体６の内孔１９中に装填することにより市販の適宜の機能性充填剤を用いることが可能である。なお、機能性充填剤８は、例えば不織布等の通気性を有する包み紙で包まれて固体化されたものを、収納容器９を用いずに直接吊り下げパイプ体６内に装填するようにしてもよい。
【００３６】
収納容器９は、耐薬品特性を有する合成樹脂材により図３及び図４に示すように内孔１９の内径とほぼ等しい外径を有する略筒状体に形成される。収納容器９には、外周部に多数の小孔９Ａが形成され、内部に収納した機能性充填剤８から放散される機能成分を吊り下げパイプ体６の内孔１９内に放散させる。
【００３７】
パイプラック１は、例えば図５に示した収納容器３０を用いて機能性充填剤８を吊り下げパイプ体６内に装填することも可能である。収納容器３０も、耐薬品特性を有する合成樹脂材により一体に形成された本体部３１と、蓋体部３２と、これら本体部３１と蓋体部３２を一体に連設する複数の薄肉のヒンジ部３３からなる。収納容器３０は、本体部３１が、半円筒形でありかつその両側に天井部と底面部を構成する円形の側面部３１Ａ、３１Ｂを一体に形成してなる。収納容器３０は、蓋体部３２が、本体部３１の開口部位を全域に亘って閉塞する半円筒形に形成される。
【００３８】
収納容器３０は、ヒンジ部３３が薄肉とされることにより可撓性を有し、本体部３１と蓋体部３２を開閉自在に連設する。収納容器３０は、本体部３１に対して蓋体部３２を閉じた状態で全体が吊り下げパイプ体６の内孔１９の内径よりもやや小径とされた外径を有し、内部に機能性充填剤８を収納する収納空間部３４を構成する。収納容器３０は、本体部３１と蓋体部３２に、収納空間部３４に収納した機能性充填剤８から放出される機能成分を吊り下げパイプ体６の内孔１９内に放散させる多数個の放散孔３５Ａ、３５Ｂが形成される。
【００３９】
収納容器３０には、本体部３１と蓋体部３２に係合構造が一体に形成されており、この係合構造によりヒンジ部３３を介して本体部３１側に回動した蓋体部３２が閉じられた状態に保持される。収納容器３０は、係合構造が、例えば本体部３１のヒンジ部３３と対向する開口側縁に形成された係合受け部３６と、蓋体部３２のヒンジ部３３と対向する先端側縁に形成された係合凸部３７とから構成する。収納容器３０は、本体部３１に対して蓋体部３２がヒンジ部３３を介して収納空間部３４を閉じるように回動操作されると、係合受け部３６に係合凸部３７のカギ状に形成された先端部が係合して閉じられた状態に保持されるようにする。収納容器３０は、係合受け部３６から係合凸部３７をこじ上げ操作することにより、本体部３１に対する蓋体部３２の保持状態が解除される。
【００４０】
収納容器３０には、吊り下げパイプ体６の内孔１９中に複数個が装填されるが、互いに所定間隔を以って配置されるようにするために間隔保持手段を形成してもよい。間隔保持手段は、例えば図５に示すように本体部３１の側面部３１Ａに一体に形成した所定の長さを有する間隔保持片３８により構成する。間隔保持片３８は、収納容器３０が吊り下げパイプ体６に対してその端部開口１９Ａから内孔１９中に順次装填される際に、相対する側面３１Ｂに突き当たることにより隣り合う収納容器３０間の間隔を保持する。なお、間隔保持片３８には、同図に示すように一定の間隔を以って複数の幅方向の切断ガイド溝３９を形成し、切断ガイド溝３９を介して折り曲げ切断することにより収納容器３０の間隔を適宜設定するようにしてもよい。
【００４１】
なお、パイプラック１は、上述した収納容器９や収納容器３０に限定されず、吊り下げパイプ体６に対して端部開口１９Ａから内孔１９中に装填することが可能な適宜の形状のものを用いてもよいことは勿論である。パイプラック１は、ある程度の機械的剛性を有する合成樹脂製或いは金属製の収納容器を用いて吊り下げパイプ体６の内孔１９に装填することにより、この収納容器が吊り下げパイプ体６の機械的剛性を向上させる。
【００４２】
パイプラック１においては、上述したように少なくとも一対の支柱パイプ体４Ｌ、４Ｒが、上方部位をブラケットホルダ体５Ｌ、５Ｒを介して吊り下げパイプ体６により対向間隔を保持されるとともに、下方部位を保持筒体１１を介して保持パイプ体１０により対向間隔を保持されて枠状に組み立てられる。パイプラック１は、キャスタユニット１３により移動自在とされかつロック機構により任意の位置で安定した状態で設置される。
【００４３】
パイプラック１には、吊り下げパイプ体６に対してハンガ３に掛けた多数枚の衣類４を吊り下げて保持する。パイプラック１においては、吊り下げパイプ体６の内孔１９に装填された機能性充填剤８から機能成分が各拡散小孔２０を介して外部へと放散され、衣類４に対する防虫等の機能が奏されるようになる。パイプラック１においては、吊り下げパイプ体６の全長に亘って多数個の拡散小孔２０を形成したことにより、機能性充填剤８から放散される機能成分が吊り下げた衣類４に対してまんべんなく降りかかるように放散されるいわゆるシャワー効果により防虫等の所定の機能がより効率的に奏されるようになる。
【００４４】
パイプラック１においては、所定期間を経過して機能性充填剤８の交換が必要となった場合に、吊り下げパイプ体６を支柱パイプ体４から取り外すことなくその交換操作が行われる。パイプラック１においては、キャップ体７が強く引き抜き操作されることにより吊り下げパイプ体６から取り外してその内孔１９の端部開口１９Ａを開口する。パイプラック１においては、例えば吊り下げパイプ体６の一方の端部開口１９Ａ側から棒等の適宜の治具を用いて内孔１９中に装填された機能性充填剤８を他方の端部開口１９Ａ側から押し出すようにする。
【００４５】
パイプラック１においては、吊り下げパイプ体６に対して新たな機能性充填剤８が一方の端部開口１９Ａ側から内孔１９中に差し込まれ、適宜の治具により内部へと押し込むことにより装填する。パイプラック１においては、吊り下げパイプ体６に対してキャップ体７が、ロック片７Ｂをやや収斂させた状態にして内孔１９中にはめ込むことにより、端部開口１９Ａを閉塞する。パイプラック１においては、このようにして機能性充填剤８の交換操作を手軽に行うことが可能である。パイプラック１においては、例えば多数枚の衣替えが終わった衣料２を吊り下げた状態のまま例えばウォークインクローゼット等に収納して保管する場合でも、全体を埃除けの合成樹脂シートで覆うことにより機能性充填剤８の機能がより効率的に発揮されるようになる。
【００４６】
なお、上述した実施の形態においては、一対の支柱パイプ体４と１本の吊り下げパイプ体６を備えたが、かかる形態に限定されないことは勿論である。パイプラックは、例えば４本の支柱パイプ体を複数本の横桟パイプ体で枠状に組み合わせ、この枠体に対して複数本の吊り下げパイプ体を支架して構成するようにしてもよい。また、パイプラックは、左右の支柱パイプ体をそれぞれ例えば三角枠体で構成し、これら三角枠体間に吊り下げパイプ体を支架して構成するようにしてもよい。なお、パイプラックは、複数本の吊り下げパイプ体を備える場合に、全ての吊り下げパイプ体の内孔中に機能性充填剤を装填する必要は無い。
【図面の簡単な説明】
【００４７】
【図１】本考案の実施の形態として示す衣類用パイプラック装置の使用状態の説明図である。
【図２】同衣類用パイプラック装置の要部半断面図である。
【図３】同衣類用パイプラック装置の支柱パイプ体と吊り下げパイプ体の結合部位を示す一部切り欠き要部正面図である。
【図４】同支柱パイプ体と吊り下げパイプ体の結合部位を示す要部分解斜視図である。
【図５】第２の実施の形態として示す防虫剤と収納容器の斜視図である。
【符号の説明】
【００４８】
１  衣類用パイプラック装置（パイプラック）、２  衣類、３  ハンガ、４  支柱パイプ体、５  ブラケットホルダ体、６  吊り下げパイプ体、７  キャップ体、８  機能性充填剤、９  収納容器、１０  保持パイプ体、１３  キャスタユニット、１５  支柱筒部、１６  吊り下げ筒部、１９  内孔、２０  拡散小孔、３０  収納容器、３１  本体部、３２  蓋体部、３４  収納空間部、３８  間隔保持片
【図１】
0003129883.tif 000003
【図２】
0003129883.tif 000004
【図３】
0003129883.tif 000005
【図４】
0003129883.tif 000006
【図５】
0003129883.tif 000007